【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
インクを吐出するノズルが設けられたヘッドチップに、前記ノズルにインクを導入するインク流路の一部を内部に備え前記インク流路にフィルタが設置されたマニホールドを取り付けたインクジェットヘッドの製造方法において、
前記マニホールドの内部であって、前記インク流路の周縁部分に設けられ、熱で溶融する溶融部に、前記フィルタを載置する第一工程と、
前記周縁部分の溶融領域を覆う金属箔を、接着剤によって前記フィルタに接着する第二工程と、
加熱装置によって前記金属箔を加熱しながら押圧して、前記加熱装置より発生した熱量及び押圧力を前記金属箔、前記フィルタを介して前記溶融部に伝え、前記フィルタを前記マニホールドに固着する第三工程と、を行い前記マニホールドから前記加熱装置を引き離す方向に移動させることを特徴とするインクジェットヘッドの製造方法。
【請求項２】
インクを吐出するノズルが設けられたヘッドチップに、前記ノズルにインクを導入するインク流路の一部を内部に備え前記インク流路にフィルタが設置されたマニホールドを取り付けたインクジェットヘッドの製造方法において、
前記マニホールドの内部であって、前記インク流路の周縁部分に設けられ、熱で溶融するリブ状の溶融部に、前記フィルタを載置する第一工程と、  
前記周縁部分の溶融領域を覆う金属箔を、前記フィルタに載置する第二工程と、
加熱装置によって前記金属箔を加熱しながら押圧して、前記加熱装置より発生した熱量及び押圧力を前記金属箔、前記フィルタを介して前記リブ状の溶融部に伝えて当該溶融部を溶融させ、前記フィルタを前記マニホールドに固着する第三工程と、を行い前記マニホールドから前記加熱装置を引き離す方向に移動させることを特徴とするインクジェットヘッドの製造方法。
【請求項３】
インクを吐出するノズルが設けられたヘッドチップに、前記ノズルにインクを導入するインク流路の一部を内部に備え前記インク流路にフィルタが設置されたマニホールドを取り付けたインクジェットヘッドの製造方法において、
前記マニホールドの内部であって、前記インク流路の周縁部分に設けられ、熱で溶融する溶融部に、前記フィルタを載置する第一工程と、
前記周縁部分の溶融領域を覆う金属箔を、前記フィルタに載置する第二工程と、
超音波による分子振動により熱を発生させる加熱装置によって前記金属箔を加熱しながら押圧して、前記加熱装置より発生した熱量及び押圧力を前記金属箔、前記フィルタを介して前記溶融部に伝え、前記フィルタを前記マニホールドに固着する第三工程と、を行い前記マニホールドから前記加熱装置を引き離す方向に移動させることを特徴とするインクジェットヘッドの製造方法。
【請求項４】
前記第三工程後、前記加熱装置による加熱を停止し、そして前記加熱装置に空気を吹き付けて、前記加熱装置を冷却する第四工程を行うことを特徴とする請求項１から請求項３のいずれか一項に記載のインクジェットヘッドの製造方法。
【手続補正２】
【補正対象書類名】明細書
【補正対象項目名】０００８
【補正方法】変更
【補正の内容】
【０００８】
上述の問題を解決するために、請求項１に記載の発明においては、インクを吐出するノズルが設けられたヘッドチップに、前記ノズルにインクを導入するインク流路の一部を内部に備え前記インク流路にフィルタが設置されたマニホールドを取り付けたインクジェットヘッドの製造方法において、
前記マニホールドの内部であって、前記インク流路の周縁部分に設けられ、熱で溶融する溶融部に、前記フィルタを載置する第一工程と、
前記周縁部分の溶融領域を覆う金属箔を、接着剤によって前記フィルタに接着する第二工程と、
加熱装置によって前記金属箔を加熱しながら押圧して、前記加熱装置より発生した熱量及び押圧力を前記金属箔、前記フィルタを介して前記溶融部に伝え、前記フィルタを前記マニホールドに固着する第三工程と、を行い前記マニホールドから前記加熱装置を引き離す方向に移動させることを特徴としている。
また、請求項２に記載の発明においては、インクを吐出するノズルが設けられたヘッドチップに、前記ノズルにインクを導入するインク流路の一部を内部に備え前記インク流路にフィルタが設置されたマニホールドを取り付けたインクジェットヘッドの製造方法において、
前記マニホールドの内部であって、前記インク流路の周縁部分に設けられ、熱で溶融するリブ状の溶融部に、前記フィルタを載置する第一工程と、  
前記周縁部分の溶融領域を覆う金属箔を、前記フィルタに載置する第二工程と、
加熱装置によって前記金属箔を加熱しながら押圧して、前記加熱装置より発生した熱量及び押圧力を前記金属箔、前記フィルタを介して前記リブ状の溶融部に伝えて当該溶融部を溶融させ、前記フィルタを前記マニホールドに固着する第三工程と、を行い前記マニホールドから前記加熱装置を引き離す方向に移動させることを特徴としている。
また、請求項３に記載の発明においては、インクを吐出するノズルが設けられたヘッドチップに、前記ノズルにインクを導入するインク流路の一部を内部に備え前記インク流路にフィルタが設置されたマニホールドを取り付けたインクジェットヘッドの製造方法において、
前記マニホールドの内部であって、前記インク流路の周縁部分に設けられ、熱で溶融する溶融部に、前記フィルタを載置する第一工程と、
前記周縁部分の溶融領域を覆う金属箔を、前記フィルタに載置する第二工程と、
超音波による分子振動により熱を発生させる加熱装置によって前記金属箔を加熱しながら押圧して、前記加熱装置より発生した熱量及び押圧力を前記金属箔、前記フィルタを介して前記溶融部に伝え、前記フィルタを前記マニホールドに固着する第三工程と、を行い前記マニホールドから前記加熱装置を引き離す方向に移動させることを特徴としている。
【手続補正３】
【補正対象書類名】明細書
【補正対象項目名】０００９
【補正方法】変更
【補正の内容】
【０００９】
このように請求項１から請求項３に記載の発明によれば、前記加熱装置は前記金属箔を介して前記マニホールドに設けられた前記溶融部に熱を加え、前記フィルタを前記マニホールドに固着するので、前記加熱装置が直接、前記溶融部の溶融した溶融片に接触することを防ぐことができる。
【手続補正４】
【補正対象書類名】明細書
【補正対象項目名】００１０
【補正方法】変更
【補正の内容】
【００１０】
請求項４に記載の発明は、請求項１から請求項３のいずれか一項に記載のインクジェットヘッドの製造方法において、前記第三工程後、前記加熱装置による加熱を停止し、そして前記加熱装置に空気を吹き付けて、前記加熱装置を冷却する第四工程を行うことを特徴としている。
【手続補正５】
【補正対象書類名】明細書
【補正対象項目名】００１１
【補正方法】変更
【補正の内容】
【００１１】
このように請求項４に記載の発明によれば、前記第三工程後、前記加熱装置による加熱を停止し、前記加熱装置に空気を吹き付けて前記加熱装置の熱を奪うので、加熱装置は瞬時に冷却される。このため前記加熱装置を前記金属箔から引き離す方向に移動させた際に、前記加熱装置と前記金属箔とを容易に剥離することができるので、前記加熱装置を前記金属箔から引き離す方向に移動させた際に、金属箔が加熱装置と一緒に移動すること防ぐことができる。
【手続補正６】
【補正対象書類名】明細書
【補正対象項目名】００１２
【補正方法】変更
【補正の内容】
【００１２】
請求項１から請求項３に記載の発明によれば、前記加熱装置が直接、前記溶融部の溶融した溶融片に接触することを防ぐことができるので、前記加熱装置に前記溶融片が付着することを防ぐことができるという効果を奏する。
【手続補正７】
【補正対象書類名】明細書
【補正対象項目名】００１３
【補正方法】変更
【補正の内容】
【００１３】
請求項４に記載の発明によれば、前記金属箔が前記加熱装置と一緒に移動すること防ぐことができるので、前記加熱装置に前記金属箔を介して前記溶融片が付着することを防ぐことができるという効果を奏する。